(57)【要約】【課題】本発明は、鞘管の開口端に取り付けることで既存の掘進機で掘削を可能とした鞘管用掘削リング及び鞘管並びに鞘管の施工方法を提供することを目的とするものである。【解決手段】鞘管１４の開口端１６の外径と略同径とされ、かつ開口端１６の円周方向に回転自在に取り付けられる第１の開口端２と、第１の開口端２に対向する位置に形成された第２の開口端３を有する筒状のリング本体７と、リング本体７の第２の開口端３に配置された、鞘管１４内に収納される掘進機２２の回転刃部２４に係留可能とされる係留部４と、第２の開口端３に、鞘管１４の推進方向に向けて突設された掘削刃６とを備える。【選択図】図１
2015036505.tif 000002
【特許請求の範囲】
【請求項１】
鞘管の開口端の外径と略同径とされ、かつ同開口端の円周方向に回転自在に取り付けられる第１の開口端と、該第１の開口端に対向する位置に形成された第２の開口端を有する筒状のリング本体と、
該リング本体の前記第２の開口端に配置された、前記鞘管内に収納される掘進機の回転刃部に係留可能とされる係留部と、
前記第２の開口端に、前記鞘管の推進方向に向けて突設された掘削刃とを備える
鞘管用掘削リング。
【請求項２】
前記係留部は、前記回転刃部の先端が挿入可能とされ、かつ前記第１の開口端側が開放状に形成された凹部を有する
請求項１に記載の鞘管用掘削リング。
【請求項３】
前記第１の開口端に取り付けられ、かつ前記鞘管の先端開口端に沿って周回可能とされる回転ローラーを備える
請求項１または請求項２に記載の鞘管用掘削リング。
【請求項４】
掘進機の外周面と所定の間隔を保持し、かつ開口端近傍の内周面の円周方向に沿って掘進機の外周面が密接状となるように取り付けられた坑口パッキンを有する鞘管本体と、
該鞘管本体の開口端の外径と略同径とされ、かつ同開口端の円周方向に回転自在に取り付けられる第１の開口端と、該第１の開口端に対向する位置に形成された第２の開口端を有する筒状のリング本体と、該リング本体の前記第２の開口端に沿って配置された、前記鞘管本体内に収納される掘進機の回転刃部に係留可能とされる係留部と、前記第２の開口端に、前記鞘管本体の推進方向に向けて突設された掘削刃とを有する鞘管用掘削リングを備える
鞘管。
【請求項５】
立坑土留壁に、穴部を設ける工程と、
該穴部に、掘進機の外周面と所定の間隔を保持し、同掘進機の回転刃部に係留して回転する掘削刃が設けられた鞘管用掘削リングを有する鞘管を挿通して土中を掘削する工程と、
前記鞘管用掘削リングと前記掘進機の回転刃部との係留を解除して鞘管を土中に残置する工程とを備える
鞘管の施工方法。
【請求項６】
前記鞘管は、同鞘管の先端側の内周面の円周方向に沿って掘進機の外周面が密接状となるように取り付けられた坑口パッキンを有する
請求項５に記載の鞘管の施工方法。
【発明の詳細な説明】
【技術分野】
【０００１】
本発明は、鞘管用掘削リング及び鞘管並びに鞘管の施工方法に関する。詳しくは、立坑における坑口を施工するための鞘管用掘削リング及び鞘管並びに鞘管の施工方法に係るものである。
【背景技術】
【０００２】
例えば、下水道管を敷設する場合には、発進立坑内に元押装置を設置して到達立坑に向って掘進機で地中を掘削しながら、順次敷設管を押し込んで行く推進工法がある。
【０００３】
この場合の立坑の寸法は、推進方向で敷設管の長さ、元押ジャッキの長さ、支圧壁の厚みに余裕長さをプラスした約６〜８ｍとなる。
【０００４】
しかし、地上部の道路事情や地理的条件等で推進方向の寸法が確保できない場合があり、立坑の推進位置に、敷設管外径より大きい鞘管を推進方向に敷設することが行われている。
【０００５】
このような鞘管の設置では、敷設管の外径より３０〜５０ｃｍほど大きい外径の鋼管を前面開放式の手掘り推進にて２ｍほど推進したのち、鋼管の先端に発進坑口を取り付けるものであるが、地盤が脆く、薬液注入等で地盤改良しても手掘り推進ができない場合がある。
【０００６】
このような場合には、伸縮自在なカッターアームを備える掘進機の外周に発進坑口付の鞘管を装着する。そして、カッターアームを伸長して鞘管の外径に合せた状態で推進した後、掘進機と鞘管を分離し、掘進機のカッターアームを収縮させて本来の掘削径に合せた状態での掘削をする方法が行われている。
【０００７】
ここで、伸縮自在なカッターアームを備える掘進機として、例えば特許文献１に記載されたものがある。具体的には、図１２に示すように、カッタースポーク１０１の固定側カッタースポーク１０２に移動可能に装着される可動スポーク１０３と、可動スポーク１０３を進退駆動するための油圧シリンダ１０４と、固定側カッタースポーク１０２に可動スポーク１０３を支承する軸受け構造１０５とを備える。
【先行技術文献】
【特許文献】
【０００８】
【特許文献１】特開２０００−２９７５９６号公報
【発明の概要】
【発明が解決しようとする課題】
【０００９】
しかしながら、前記特許文献１に記載された発明では、カッターアームに内蔵した油圧ジャッキでカッターアームを伸縮するので硬質地盤や転石のある土質等ではカッターアームに大きな負担を受けて油圧装置が破損することがある。また、カッターアームが歪んで伸縮動作ができなくなることがある。
【００１０】
また、鞘管を敷設するのに敷設管の外径に合せたカッターアームを備えた掘進機を使用することができず、略２ｍ長さの鞘管を敷設するのに、伸縮自在なカッターアームを備えた掘進機を使用するには効率の悪い作業となる。
【００１１】
本発明は、以上の点に鑑みて創案されたものであって、鞘管の開口端に取り付けることで既存の掘進機で鞘管の敷設を可能とした鞘管用掘削リング及び鞘管並びに鞘管の施工方法を提供することを目的とするものである。
【課題を解決するための手段】
【００１２】
上記の目的を達成するために、本発明に係る鞘管用掘削リングは、鞘管の開口端の外径と略同径とされ、かつ同開口端の円周方向に回転自在に取り付けられる第１の開口端と、該第１の開口端に対向する位置に形成された第２の開口端を有する筒状のリング本体と、該リング本体の前記第２の開口端に配置された、前記鞘管内に収納される掘進機の回転刃部に係留可能とされる係留部と、前記第２の開口端に、前記鞘管の推進方向に向けて突設された掘削刃とを備える。
【００１３】
ここで、第１の開口端が鞘管の開口端の外径と略同径とされることによって、鞘管の開口端に、一体的に取付けることが可能となる。
更に、第１の開口端が鞘管の開口端の円周方向に回転自在に取り付けられることによって、第１の開口端を鞘管の開口端の円周方向に回転可能とすることができる。
【００１４】
また、リング本体が第１の開口端に対向する位置に形成された第２の開口端を有する筒状であることによって、リング本体を鞘管と同軸線上に一体的に配置することができる。
【００１５】
また、リング本体の第２の開口端に配置された、鞘管内に収納される掘進機の回転刃部に係留可能とされる係留部によって、掘進機の回転刃部に追従させてリング本体を回転させることが可能となる。
【００１６】
また、第２の開口端に、鞘管の推進方向に向けて突設された掘削刃を設けることによって、鞘管と略同径の穴を掘進することが可能となる。
【００１７】
また、本発明に係る鞘管用掘削リングにおいて、係留部が、回転刃部の先端が挿入可能とされ、かつ第１の開口端側が開放状に形成された凹部を有する場合には、掘進機を後退させることで鞘管用掘削リングと掘進機との係留を解除することが可能となる。
【００１８】
また、本発明に係る鞘管用掘削リングにおいて、第１の開口端に取り付けられ、かつ鞘管の先端開口端に沿って周回可能とされる回転ローラーを備える場合には、掘進機を推進させるときに、鞘管の先端開口端に対してスムーズに鞘管用掘削リングを回転させることが可能となる。
【００１９】
また、上記の目的を達成するために、本発明に係る鞘管は、掘進機の外周面と所定の間隔を保持し、かつ開口端近傍の内周面の円周方向に沿って掘進機の外周面が密接状となるように取り付けられた坑口パッキンを有する鞘管本体と、該鞘管本体の開口端の外径と略同径とされ、かつ同開口端の円周方向に回転自在に取り付けられる第１の開口端と、該第１の開口端に対向する位置に形成された第２の開口端を有する筒状のリング本体と、該リング本体の前記第２の開口端に沿って配置された、前記鞘管本体内に収納される掘進機の回転刃部に係留可能とされる係留部と、前記第２の開口端に、前記鞘管本体の推進方向に向けて突設された掘削刃とを有する鞘管用掘削リングを備える。
【００２０】
ここで、掘進機の外周面と所定の間隔を保持し、かつ開口端近傍の内周面の円周方向に沿って掘進機の外周面が密接状となるように取り付けられた坑口パッキンを有する鞘管本体によって、掘進のときに掘進機と鞘管本体との間に掘削土が流入するのを防止しながら鞘管本体を掘進機に保持することが可能となる。
【００２１】
また、第１の開口端が鞘管本体の開口端の外径と略同径とされることによって、鞘管本体の開口端に、一体的に取付けることが可能となる。
【００２２】
また、第１の開口端が鞘管本体の開口端の円周方向に回転自在に取り付けられることによって、第１の開口端を鞘管本体の開口端の円周方向に回転可能とすることができる。
【００２３】
また、リング本体が第１の開口端に対向する位置に形成された第２の開口端を有する筒状であることによって、リング本体を鞘管本体と同軸線上に一体的に配置することができる。
【００２４】
また、リング本体の第２の開口端に沿って配置された、鞘管内に収納される掘進機の回転刃部に係留可能とされる係留部によって、掘進機の回転刃部に追従させてリング本体を回転させることが可能となる。
【００２５】
また、第２の開口端に、鞘管の推進方向に向けて突設された掘削刃を設けることによって、鞘管と略同径の穴を掘進することが可能となる。
【００２６】
また、上記の目的を達成するために、本発明に係る鞘管の施工方法は、立坑土留壁に、穴部を設ける工程と、該穴部に、掘進機の外周面と所定の間隔を保持し、該掘進機の回転刃部に係留して回転する掘削刃が設けられた鞘管用掘削リングを有する鞘管を挿通して土中を掘削する工程と、前記鞘管用掘削リングと前記掘進機の回転刃部との係留を解除して鞘管を土中に残置する工程とを備える。
【００２７】
ここで、立坑土留壁に設けた穴部に、掘進機の外周面と所定の間隔を保持し、掘進機の回転刃部に係留して回転する掘削刃が設けられた鞘管用掘削リングを有する鞘管を挿通して土中を掘削する工程によって、掘進機の回転刃部の駆動回転を利用して鞘管と略同径の穴を掘削しながら鞘管を推進させることが可能となる。
【００２８】
また、鞘管用掘削リングと掘進機の回転刃部との係留を解除して鞘管を土中に残置する工程によって、掘進機による通常の掘進を続行することが可能となる。
【００２９】
また、本発明に係る鞘管の施工方法において、鞘管が、鞘管の先端側の内周面の円周方向に沿って掘進機の外周面が密接状となるように取り付けられた坑口パッキンを有する場合には、掘進機と鞘管本体との間に掘削土が流入するのを防止しながら鞘管を敷設することが可能となる。
【発明の効果】
【００３０】
本発明の鞘管用掘削リングによれば、鞘管の開口端に取り付けることで既存の掘進機で鞘管を敷設することができる。
また、本発明の鞘管によれば、既存の掘進機に取り付けることで鞘管を敷設可能とすることができる
また、本発明の鞘管の施工方法では、既存の掘進機で鞘管の敷設を行うことが可能となる。
【図面の簡単な説明】
【００３１】
【図１】本発明を適用した鞘管用掘削リングの一例を説明するための正面模式図（Ａ）及び、本発明を適用した鞘管用掘削リングの一例を説明するための断面模式図（Ｂ）である。
【図２】本発明を適用した鞘管用掘削リングの他の例を説明するための正面模式図（Ａ）及び、本発明を適用した鞘管用掘削リングの他の例を説明するための断面模式図（Ｂ）である。
【図３】本発明を適用した鞘管の一例を説明するための正面模式図（Ａ）及び、本発明を適用した鞘管の一例を説明するための断面模式図（Ｂ）である。
【図４】本発明を適用した鞘管の他の例を説明するための正面模式図（Ａ）及び、本発明を適用した鞘管の他の例を説明するための断面模式図（Ｂ）である。
【図５】本発明を適用した鞘管の使用状態の一例を説明するための正面模式図（Ａ）及び、本発明を適用した鞘管の使用状態の一例を説明するための断面模式図（Ｂ）である。
【図６】本発明を適用した鞘管と掘進機との取外し状態の一例を説明するための正面模式図（Ａ）及び、本発明を適用した鞘管と掘進機との取外し状態の一例を説明するための断面模式図（Ｂ）である。
【図７】本発明を適用した鞘管の使用状態の他の例を説明するための正面模式図（Ａ）及び、本発明を適用した鞘管の使用状態の他の例を説明するための断面模式図（Ｂ）である。
【図８】本発明を適用した鞘管と掘進機との取外し状態の他の例を説明するための正面模式図（Ａ）及び、本発明を適用した鞘管と掘進機との取外し状態の他の例を説明するための断面模式図（Ｂ）である。
【図９】本発明を適用した鞘管の施工方法の一例の第１の工程における掘進機と鞘管との取付け状態を説明するための模式図（Ａ）及び、本発明を適用した鞘管の施工方法の一例の第１の工程における掘進機と鞘管との掘削状態を説明するための模式図（Ｂ）である。
【図１０】本発明を適用した鞘管の施工方法の一例の第２の工程における掘進機と鞘管との取外し状態を説明するための模式図（Ａ）及び、本発明を適用した鞘管の施工方法の一例の第２の工程における掘進機の取外し状態の他の例を説明するための模式図（Ｂ）である。
【図１１】本発明を適用した鞘管の施工方法の一例の第３の工程における鞘管の設置状態を説明するための模式図（Ａ）及び、本発明を適用した鞘管の施工方法の一例の第３の工程における掘進機により敷設管の敷設状態を説明するための模式図（Ｂ）である。
【図１２】従来の掘進機の一例を説明するための模式図である。
【発明を実施するための形態】
【００３２】
以下、本発明の実施の形態を図面を参酌しながら説明する。
【００３３】
＜第１の実施の形態＞
図１（Ａ）は本発明を適用した鞘管用掘削リングの一例を説明するための正面模式図、図１（Ｂ）は本発明を適用した鞘管用掘削リングの一例を説明するための断面模式図である。
【００３４】
ここで示す鞘管用掘削リング１は、鞘管（図示せず。）と略同径とされた第１の開口端２と、この第１の開口端２に対向する位置に形成された第２の開口端３を有する鋼製である筒状のリング本体７から構成されている。
【００３５】
ここで、第２の開口端３の円周縁には、リング本体７の中心軸線から９０度毎に４個の係留部４が配置されている。
【００３６】
この係留部４は、第２の開口端３にリング本体７と略直角状にリング本体７の中心軸線方向に向けて突設された方形状の回転板部５が形成され、更に、回転板部５表面には、掘削用としての掘削刃６が取り付けられている。
【００３７】
また、係留部４の回転板部５の進行側の裏面に、リング本体７と略平行状となるように一端が取付けられた支持板２６の他端側とリング本体７の内周面との間に、回転ローラー８が支持軸９によって回転可能な状態で取り付けられている。
【００３８】
更に、支持板２６のリング本体７の中心軸線方向の面に、掘進機の回転刃部（図示せず。）の先端が挿入可能とされ、かつ第１の開口端２側が開放状に形成された凹部１０が設けられている。
【００３９】
これにより、凹部１０によって掘進機の回転刃部（図示せず。）の先端部が係留される構成とされている。
【００４０】
また、リング本体７の第１の開口端２の円周縁に沿って、リング本体７中心軸線側に向けて略直角状に折曲形成された係留片１３が形成されている。
【００４１】
次に、本発明を適用した鞘管用掘削リング１の使用状態の一例を説明する。
図５に示すように、鞘管本体１５の先端側の開口端１６の円周縁に沿って、鞘管本体１５の中心軸線側に向けて断面凹字形状に折り曲げ形成された係留用溝部１７が周設されている。
【００４２】
この係留用溝部１７に、鞘管用掘削リング１の係留片１３が挿入された状態で連結された構成とされている。
【００４３】
また、鞘管本体１５の開口端１６の手前の内周面に沿って坑口パッキン１８が環状に周設されている。
【００４４】
また、掘進機２２は、円筒形状の掘進機本体２３と、この掘進機本体２３の先端に駆動回転可能に取り付けられた十字状の回転刃部２４とから構成されている。更に、回転刃部２４面には、複数個の掘削刃６Ａがそれぞれ取り付けられている。
【００４５】
このような構成の掘進機２２を、鞘管１４の後端側から挿入し、掘進機２２の回転刃部２４を鞘管１４の鞘管用掘削リング１まで押し入れる。
【００４６】
ここで、回転刃部２４の先端部２５を、鞘管用掘削リング１の係留部４に設けられた凹部１０に挿入する。
【００４７】
これにより、回転刃部２４と鞘管用掘削リング１が係留することで、回転刃部２４の駆動回転によって鞘管用掘削リング１が回転可能となる。
【００４８】
この場合に、鞘管用掘削リング１の回転ローラー８が、鞘管本体１５の係留用溝部１７の側壁２１に押圧されながら回転することで鞘管用掘削リング１は、鞘管本体１５に対してスムーズに回転することが可能となる。
【００４９】
ここで、図６に示すように、鞘管用掘削リング１と掘進機２２の回転刃部２４との係留を解除する場合には、掘進機２２のみを１０ｃｍほど後退させることで回転刃部２４の先端部２５が、鞘管用掘削リング１の係留部４に設けられた凹部１０内から離脱する。
【００５０】
このようにして回転刃部２４と鞘管用掘削リング１との係留を解除した後に、掘進機本体２３内に搭載される駆動モーター（図示せず。）を手で回して回転刃部２４を鞘管用掘削リング１の係留部４と係留部４間に位置するように回転させる。
【００５１】
更に、掘進機２２のみを３０ｃｍほど前進させることで回転刃部２４が鞘管用掘削リング１に当接することなく鞘管用掘削リング１の前方に移動させることで鞘管１４を坑口として掘進機２２による掘削が可能となる。
【００５２】
なお、本実施の形態では、係留部が、回転刃部の先端が挿入可能とされ、かつ第１の開口端２側が開放状に形成された凹部を有するものであるが、必ずしも第１の開口端２側が開放状に形成された凹部を有する必要性はない。
【００５３】
例えば、回転刃部を前後方向に移動させることで鞘管用掘削リングとの係留を解除することができるのであれば、凹部が、第２の開口端側が開放状、あるいは第１の開口端側及び第２の開口端側が開放状であっても構わない。
【００５４】
また、本実施の形態では、第１の開口端に取り付けられ、かつ鞘管の先端側の開口端に沿って周回可能とされる回転ローラーを設けるものであるが、必ずしも回転ローラーを設ける必要性はない。
【００５５】
しかし、鞘管用掘削リングがスムーズに回転できるという点において、回転ローラーを設けることが望ましい。
【００５６】
以上の構成よりなる本発明では、既存の鞘管に鞘管用掘削リングを取り付けることで伸縮機能を備えたカッターアームを使用することなく掘削を行うことが可能となる。
【００５７】
また、鞘管用掘削リングと掘進機の回転刃部との係留を解除する場合には、掘進機を後退させて回転刃部を所要角度に回転させることで容易に係留を解除することが可能となる。
【００５８】
＜第１の実施の他の形態＞
図２（Ａ）は本発明を適用した鞘管用掘削リングの他の例を説明するための正面模式図、図２（Ｂ）は本発明を適用した鞘管用掘削リングの他の例を説明するための断面模式図である。
【００５９】
ここで示す鞘管用掘削リング１Ａは、鞘管（図示せず。）と略同径とされた第１の開口端２と、この第１の開口端２に対向する位置に形成された第２の開口端３を有する鋼製である筒状のリング本体７から構成されている。
【００６０】
ここで、第２の開口端３の円周縁に、リング本体７の中心軸線から９０度毎に４個の係留部４Ａが配置されている。
【００６１】
この係留部４Ａは、第２の開口端３にリング本体７と略直角状にリング本体７の中心軸線方向に向けて突設された方形状の回転板部５が形成され、更に、回転板部５表面には、掘削用としての掘削刃６が取り付けられている。
【００６２】
また、係留部４Ａの回転板部５の進行側の裏面に、リング本体７と略平行状となるように一端が取付けられた支持板２６の他端側とリング本体７の内周面との間に、回転ローラー８が支持軸９によって回転可能な状態で取り付けられている。
【００６３】
また、係留部４Ａの回転板部５のリング本体７の中心軸線側端に、掘進機の回転刃部（図示せず。）の先端が通過可能な切欠開口部１２が形成されている。この切欠開口部１２に連通するように、支持板２６のリング本体７の中心軸線方向の面には、掘進機の回転刃部（図示せず。）の先端が挿入可能とされ、かつ第１の開口端２側が開放状に形成された凹部１０が設けられている。
【００６４】
また、リング本体７の第１の開口端２の円周縁に沿って、リング本体７の中心軸線側に向けて略直角状に折曲形成された係留片１３が形成されている。
【００６５】
次に、本発明を適用した鞘管用掘削リング１Ａの使用状態の一例を説明する。
図７に示すように、鞘管本体１５の先端側の開口端１６の円周縁に沿って、鞘管本体１５の中心軸線側に向けて断面凹字形状に折り曲げ形成された係留用溝部１７が周設されている。
【００６６】
この係留用溝部１７に、鞘管用掘削リング１Ａの係留片１３が挿入された状態で連結された構成とされている。
【００６７】
また、鞘管本体１５の開口端１６の手前の内周面に沿って坑口パッキン１８が環状に周設されている。
【００６８】
また、掘進機２２は、円筒形状の掘進機本体２３と、この掘進機本体２３の先端に駆動回転可能に取り付けられた十字状の回転刃部２４とから構成されている。更に、回転刃部２４面には、複数個の掘削刃６Ａがそれぞれ取り付けられている。
【００６９】
このような構成の掘進機２２を、鞘管１４Ａの後端側の開口端（図示せず。）内に挿入し、掘進機２２の回転刃部２４を鞘管１４の鞘管用掘削リング１Ａまで押し入れる。
【００７０】
ここで、回転刃部２４の先端部２５を、鞘管用掘削リング１Ａの係留部４に設けられた凹部１０に挿入する。
【００７１】
これにより、回転刃部２４と鞘管用掘削リング１が係留することで、回転刃部２４の駆動回転によって鞘管用掘削リング１Ａが回転可能となる。
【００７２】
この場合に、鞘管用掘削リング１の回転ローラー８が、鞘管本体１５の係留用溝部１７の側壁２１に押圧されながら回転することで鞘管用掘削リング１Ａは、鞘管本体１５に対してスムーズに回転することが可能となる。
【００７３】
また、図８（Ａ）は本発明を適用した鞘管と掘進機との取外し状態の他の例を説明するための正面模式図、図８（Ｂ）は本発明を適用した鞘管と掘進機との取外し状態の他の例を説明するための断面模式図である。
【００７４】
ここで、図８に示すように、鞘管用掘削リング１Ａと掘進機２２の回転刃部２４との係留を解除する場合には、掘進機２２のみを１０ｃｍほど前進させる。これにより回転刃部２４の先端部２５が、係留部４Ａの凹部１０内から回転板部５の切欠開口部１２を通して鞘管用掘削リング１Ａの前方に移動する。
【００７５】
このようにして回転刃部２４と鞘管用掘削リング１Ａとの係留を解除することで鞘管１４Ａを坑口として回転刃部２４の駆動回転による掘進機２２での掘削が可能となる。
【００７６】
なお、本実施の形態では、第１の開口端に取り付けられ、かつ鞘管の先端側の開口端に沿って周回可能とされる回転ローラーを設けるものであるが、必ずしも回転ローラーを設ける必要性はない。
【００７７】
しかし、鞘管用掘削リングがスムーズに回転できるという点において、回転ローラーを設けることが望ましい。
【００７８】
以上の構成よりなる本発明では、既存の鞘管に鞘管用掘削リングを取り付けることで伸縮機能を備えたカッターアームを使用することなく掘削を行うことが可能となる。
【００７９】
また、鞘管用掘削リングと掘進機の回転刃部との係留を解除する場合には、掘進機のみを前進させることで容易に係留を解除することが可能となる。
【００８０】
＜第２の実施の形態＞
図３（Ａ）は本発明を適用した鞘管の一例を説明するための正面模式図、図３（Ｂ）は本発明を適用した鞘管の一例を説明するための断面模式図である。
【００８１】
ここで示す鞘管１４は、全長が略２ｍ、外径が掘進機（図示せず。）の外径よりも２０〜５０ｃｍほど大きい寸法の鋼管製の鞘管本体１５と、この鞘管本体１５の先端側に回転自在な状態で連結される鞘管用掘削リング１とから構成されている。
【００８２】
ここで、鞘管本体１５の先端側の開口端１６の円周縁に沿って、鞘管本体１５の中心軸線側に向けて断面凹字形状に折り曲げ形成された係留用溝部１７が周設されている。
【００８３】
この係留用溝部１７に、前記＜第１の実施の形態＞において詳述した鞘管用掘削リング１の係留片１３が挿入された状態で連結された構成とされている。
【００８４】
また、鞘管本体１５の開口端１６の手前の内周面に沿って坑口パッキン１８が環状に周設されている。
【００８５】
この坑口パッキン１８は、外径が鞘管本体１５の内径と同じ寸法とされ、内径が掘進機（図示せず。）の外径よりも２０％ほど小さい環状のゴム製パッキン１９の外周縁が鞘管本体１５の内周面に沿って周設された挟持板２０で固着されている。
【００８６】
このようなゴム製パッキン１９に掘進機（図示せず。）を通過させることで中途より鞘管本体１５の先端側方向へ折り曲げられた状態となり立坑内への土砂や地下水の流出を防止する構成とされている。
【００８７】
また、鞘管用掘削リング１は、前記＜第１の実施の形態＞において詳述するように、鞘管（図示せず。）と略同径とされた第１の開口端２と、この第１の開口端２に対向する位置に形成された第２の開口端３を有する鋼製である筒状のリング本体７から構成されている。
【００８８】
ここで、第２の開口端３の円周縁に、リング本体７の中心軸線から９０度毎に４個の係留部４が配置されている。
【００８９】
この係留部４は、第２の開口端３にリング本体７と略直角状にリング本体７の中心軸線方向に向けて突設された方形状の回転板部５が形成され、更に、回転板部５表面には、掘削用としての掘削刃６が取り付けられている。
【００９０】
また、係留部４の回転板部５の進行側の裏面に、リング本体７と略平行状となるように一端が取付けられた支持板２６の他端側とリング本体７の内周面との間に、回転ローラー８が支持軸９によって回転可能な状態で取り付けられている。
【００９１】
この回転ローラー８は、鞘管本体１５の係留用溝部１７の側壁２１の押圧しながら回転することで鞘管用掘削リング１がスムーズに回転することができる構成とされている。
【００９２】
また、支持板２６のリング本体７の中心軸線方向の面に、掘進機の回転刃部（図示せず。）の先端部が挿入可能とされ、かつ第１の開口端２側が開放状に形成された凹部１０が設けられている。
【００９３】
これにより、凹部１０によって掘進機の回転刃部（図示せず。）の先端部が係留される構成とされている。
【００９４】
次に、本発明を適用した鞘管１４の使用状態の一例を説明する。
図５に示すように、掘進機２２は、円筒形状の掘進機本体２３と、この掘進機本体２３の先端に駆動回転可能に取り付けられた十字状の回転刃部２４とから構成されている。更に、回転刃部２４面には、複数個の掘削刃６Ａがそれぞれ取り付けられている。
【００９５】
このような構成の掘進機２２を、鞘管１４の後端側から挿入し、掘進機２２の回転刃部２４を鞘管１４の鞘管用掘削リング１まで押し入れる。
【００９６】
ここで、回転刃部２４の先端部２５を、鞘管用掘削リング１の係留部４に設けられた凹部１０に挿入する。
【００９７】
これにより、回転刃部２４と鞘管用掘削リング１が係留することで、回転刃部２４の駆動回転によって鞘管用掘削リング１が回転可能となる。
【００９８】
この場合に、鞘管用掘削リング１の回転ローラー８が、鞘管本体１５の係留用溝部１７の側壁２１に押圧されながら回転することで鞘管用掘削リング１は、鞘管本体１５に対してスムーズに回転することが可能となる。
【００９９】
ここで、図６に示すように、鞘管用掘削リング１と掘進機２２の回転刃部２４との係留を解除する場合には、掘進機２２のみを１０ｃｍほど後退させることで回転刃部２４の先端部２５が、鞘管用掘削リング１の係留部４に設けられた凹部１０内から離脱する。
【０１００】
このようにして回転刃部２４と鞘管用掘削リング１との係留を解除した後に、掘進機本体２３内に搭載される駆動モーター（図示せず。）を手で回して回転刃部２４を鞘管用掘削リング１の係留部４と係留部４間に位置するように回転させる。
【０１０１】
更に、掘進機２２のみを３０ｃｍほど前進させることで回転刃部２４が鞘管用掘削リング１に当接することなく鞘管用掘削リング１の前方に移動させることで鞘管１４を坑口として掘進機２２による掘削が可能となる。
【０１０２】
以上の構成よりなる本発明では、既存の鞘管に鞘管用掘削リングを取り付けることで伸縮機能を備えたカッターアームを使用することなく掘削を行うことが可能となる。
【０１０３】
また、鞘管用掘削リングと掘進機の回転刃部との係留を解除する場合には、掘進機を後退させて回転刃部を所要角度に回転させることで容易に係留を解除することで鞘管の設置を行うことができる。
【０１０４】
また、既存の掘進機の回転刃部の先端に鞘管用掘削リングの凹部に挿入可能な突起部を溶接等で取り付けることで、外径の異なる鞘管にも適用することが可能となる。
【０１０５】
＜第２の実施の他の形態＞
図４（Ａ）は本発明を適用した鞘管の他の例を説明するための正面模式図、図４（Ｂ）は本発明を適用した鞘管の他の例を説明するための断面模式図である。
【０１０６】
ここで示す鞘管１４Ａは、前記＜第２の実施の形態＞において詳述したように、鋼管製の鞘管本体１５と、この鞘管本体１５の先端側に回転自在な状態で連結される鞘管用掘削リング１Ａとから構成されている。
【０１０７】
ここで、鞘管本体１５の先端側の開口端１６の円周縁に沿って、鞘管本体１５の中心軸線側に向けて断面凹字形状に折り曲げ形成された係留用溝部１７が周設されている。
【０１０８】
この係留用溝部１７に、前記＜第１の実施の他の形態＞において詳述した鞘管用掘削リング１Ａの係留片１３が挿入された状態で連結された構成とされている。
【０１０９】
更に、鞘管本体１５の先端側の開口端１６の手前の内周面に沿って坑口パッキン１８が環状に周設されている。
【０１１０】
この坑口パッキン１８は、外径が鞘管本体１５Ａの内径と同じ寸法とされ、内径が掘進機（図示せず。）の外径よりも２０％ほど小さい環状のゴム製パッキン１９の外周縁が鞘管本体１５の内周面に沿って周設された挟持板２０で固着されている。
【０１１１】
また、鞘管用掘削リング１Ａは、鞘管（図示せず。）と略同径とされた第１の開口端２と、この第１の開口端２に対向する位置に形成された第２の開口端３を有する鋼製である筒状のリング本体７から構成されている。
【０１１２】
ここで、第２の開口端３の円周縁に、リング本体７の中心軸線から９０度毎に４個の係留部４Ａが配置されている。
【０１１３】
この係留部４Ａは、第２の開口端３にリング本体７と略直角状にリング本体７の中心軸線方向に向けて突設された方形状の回転板部５が形成され、更に、回転板部５表面には、掘削用としての掘削刃６が取り付けられている。
【０１１４】
また、係留部４Ａの回転板部５の進行側の裏面に、リング本体７と略平行状となるように一端が取付けられた支持板２６の他端側とリング本体７の内周面との間に、回転ローラー８が支持軸９によって回転可能な状態で取り付けられている。
【０１１５】
この回転ローラー８は、鞘管本体１５の係留用溝部１７の側壁２１の押圧しながら回転することで鞘管用掘削リング１Ａがスムーズに回転することができる構成とされている。
【０１１６】
また、係留部４Ａの回転板部５のリング本体７の中心軸線側端は、掘進機の回転刃部（図示せず。）の先端が通過可能な切欠開口部１２が形成されている。この切欠開口部１２に連通するように、支持板２６のリング本体７の中心軸線方向の面には、掘進機の回転刃部（図示せず。）の先端が挿入可能とされ、かつ第１の開口端２側が開放状に形成された凹部１０が設けられている。
【０１１７】
次に、本発明を適用した鞘管１４Ａの使用状態の一例を説明する。
図７に示すように、掘進機２２は、円筒形状の掘進機本体２３と、この掘進機本体２３の先端に駆動回転可能に取り付けられた十字状の回転刃部２４とから構成されている。更に、回転刃部２４面には、複数個の掘削刃６Ａがそれぞれ取り付けられている。
【０１１８】
このような構成の掘進機２２を、鞘管１４Ａの後端側の開口端（図示せず。）内に挿入し、掘進機２２の回転刃部２４を鞘管１４Ａの鞘管用掘削リング１Ａまで押し入れる。
【０１１９】
ここで、回転刃部２４の先端部２５を、鞘管用掘削リング１Ａの係留部４Ａに設けられた凹部１０内に挿入する。
【０１２０】
これにより、回転刃部２４と鞘管用掘削リング１Ａが係留することで、回転刃部２４の駆動回転によって鞘管用掘削リング１Ａが回転可能となる。
【０１２１】
この場合に、鞘管用掘削リング１Ａの回転ローラー８が、鞘管本体１５の係留用溝部１７の側壁２１に押圧されながら回転することで鞘管用掘削リング１Ａは、鞘管本体１５に対してスムーズに回転することが可能となる。
【０１２２】
ここで、図８に示すように、鞘管用掘削リング１Ａと掘進機２２の回転刃部２４との係留を解除する場合には、掘進機２２のみを１０ｃｍほど前進させることで回転刃部２４の先端部２５が、係留部４Ａの凹部１０内から回転板部５の切欠開口部１２を通して鞘管用掘削リング１Ａの前方に移動する。
【０１２３】
このようにして回転刃部２４と鞘管用掘削リング１Ａとの係留を解除することで鞘管１４Ａを坑口として回転刃部２４の駆動回転による掘進機２２での掘削が可能となる。
【０１２４】
以上の構成よりなる本発明では、既存の鞘管に鞘管用掘削リングを取り付けることで伸縮機能を備えたカッターアームを使用することなく掘削を行うことが可能となる。
【０１２５】
また、鞘管用掘削リングと掘進機の回転刃部との係留を解除する場合には、掘進機のみを前進させることで容易に係留を解除することで鞘管の設置を行うことができる。
【０１２６】
また、既存の掘進機の回転刃部の先端に鞘管用掘削リングの凹部に挿入可能な突起部を溶接等で取り付けることで、外径の異なる鞘管にも適用することが可能となる。
【０１２７】
＜第３の実施の形態＞
次に、本発明を適用した鞘管用掘削リングを用いての鞘管の施工方法の一例を以下に詳述する。
図９（Ａ）は本発明を適用した鞘管の施工方法の一例の第１の工程における掘進機と鞘管との取付状態を説明するための模式図、図９（Ｂ）は本発明を適用した鞘管の施工方法の一例の第１の工程における掘進機と鞘管との掘削状態を説明するための模式図である。
【０１２８】
［第１の工程］
先ず、図９（Ａ）に示すように、立坑Ａの土留壁Ｂを鏡切りした後に坑口パッキンＣを取付ける。
【０１２９】
次に、鞘管本体１５の先端側の開口端に鞘管用掘削リング１を取付けた鞘管１４を、掘進機２２の外周面と所定の間隔を保持して取り付ける。この場合に、鞘管本体１５の先端側の内周面に沿って坑口パッキン１８を取り付け、掘進機２２を坑口パッキン１８に挿通した状態で掘進機２２の回転刃部２４と鞘管用掘削リング１の係留部（図示せず。）を係留させる。更に、掘進機２２と鞘管本体１５との間にスペーサーＤを介して締結ボルト（図示せず。）で固定する。
【０１３０】
このようにして鞘管１４を取付けた掘進機２２で、回転刃部２４及び鞘管用掘削リング１を駆動回転させながら元押ジャッキＥを伸ばして鞘管１４長さまでの掘削を行う。
【０１３１】
続いて、図９（Ｂ）に示すように、鞘管１４の長さまで掘削した後、元押ジャッキＥで立坑Ａ側に、鞘管１４及び掘進機２２を回転刃部２４が鞘管用掘削リングの前面に移動するスペースを確保するため２０〜３０ｃｍ引き戻す。この時、掘削孔が崩壊しないよう、掘進機の先端から掘削土を改良した泥状流動土や高濃度泥水を回転刃部２４に圧送ポンプ（図示せず。）で圧送する。この場合には、鞘管１４及び掘進機２２の引戻し速度と圧送量のバランスを取りながら、回転刃部２４の圧力を、地下水圧に２０〜５０ｋＮ／ｍ２を加えた圧力に保ちながら施工を行う。
【０１３２】
次に、図１０（Ａ）は本発明を適用した鞘管の施工方法の一例の第２の工程における掘進機と鞘管との取外し状態を説明するための模式図、図１０（Ｂ）は本発明を適用した鞘管の施工方法の一例の第２の工程における掘進機の取外し状態の他の例を説明するための模式図である。
【０１３３】
［第２の工程］
図１０（Ａ）に示すように、鞘管１４の基端側を土留壁Ｂに溶接等で固着する。また、立坑Ａ内に引戻された鞘管１４は溶断等によって取り除く。
続いて、掘進機２２と鞘管本体１５との間に締結固定されるスペーサーＤとの締結を解除する。
【０１３４】
ここで、前記図６において詳述したように、掘進機２２のみを元押ジャッキＥで１０ｃｍほど引戻し係留を解除する。この時、掘削孔が崩壊しないよう、掘進機の先端から掘削土を改良した泥状流動土や高濃度泥水を回転刃部２４に圧送ポンプ（図示せず。）で圧送する。この場合には、鞘管１４及び掘進機２２の引戻し速度と圧送量のバランスを取りながら、回転刃部２４の圧力を、地下水圧に２０〜５０ｋＮ／ｍ２を加えた圧力に保ちながら施工を行う。そして、掘進機２２内に搭載される駆動モーター（図示せず。）を手で回し、回転刃部２４を鞘管用掘削リング１の係留部４と係留部４の間に位置するよう回転させ、元押ジャッキＥで３０ｃｍ程前進させて回転刃部２４を鞘管用掘削リング１の前方に移動させる。この時、掘削孔に充満している泥状流動土や高濃度泥水が地上に噴発しないよう掘進機の排泥口（図示せず）より排泥しながら施工する。掘削孔の圧力は、地下水圧に２０〜５０ｋＮ／ｍ２を加えた圧力を保つ必要がある。
【０１３５】
また、図１０（Ｂ）に示すように、鞘管１４Ａの基端側を土留壁Ｂに溶接等で固着する。また、立坑Ａ内に引戻された鞘管１４Ａは溶断等によって取り除く。
続いて、掘進機２２と鞘管本体１５との間に締結固定されるスペーサーＤとの締結を解除する。
【０１３６】
ここで、図８において詳述したように、掘進機２２のみを前進させることで回転刃部２４と鞘管用掘削リング１Ａとの係留が解除されて回転刃部２４が鞘管用掘削リング１Ａの前方に移動する。この時、掘削孔に充満している泥状流動土や高濃度泥水が地上に噴発しないよう掘進機の排泥口（図示せず）より排泥しながら施工する。掘削孔の圧力は、地下水圧に２０〜５０ｋＮ／ｍ２を加えた圧力を保つ必要がある。
【０１３７】
次に、図１１（Ａ）は本発明を適用した鞘管の施工方法の一例の第３の工程における鞘管の設置状態を説明するための模式図、図１１（Ｂ）は本発明を適用した鞘管の施工方法の一例の第３の工程における掘進機により敷設管の敷設状態を説明するための模式図である。
【０１３８】
［第３の工程］
図１１（Ａ）に示すように、鞘管用掘削リング１及び鞘管本体１５から構成される鞘管１４が土中に残置されることで土中に鞘管１４が敷設されることになる。
【０１３９】
ここで、掘進機２２の回転刃部２４を駆動回転させながら元押ジャッキＥを伸ばして掘進機２２による通常の推進を行う。
【０１４０】
続いて、図１１（Ｂ）に示すように、次の敷設管Ｆが設置できる長さまで元押ジャッキＥが伸びたら、元押ジャッキＥを収縮させて、立坑Ａの底部まで下げる。そして、敷設管Ｆを立坑Ａ内より鞘管１４内に押し入れて、元押ジャッキＥを所定の位置に上昇させたのち、元押ジャッキＥと掘進機２２による通常の推進を行う。
【０１４１】
なお、本実施の形態では、鞘管の先端側の内周面の円周方向に沿って掘進機の外周面が密接状となるように取り付けられた坑口パッキンを有するものであるが、必ずしも坑口パッキンを有する必要性はない。
【０１４２】
しかし、鞘管と掘進機との間からの土石の流入を防ぐことができるという点において坑口パッキンを設けることが望ましい。
【０１４３】
以上の構成よりなる本発明の鞘管の施工方法では、鞘管の開口端に鞘管用掘削リングを取り付けることで既存の掘進機の回転刃部の回転力を利用して鞘管を推進させることが可能となる。
【０１４４】
また、鞘管用掘削リング及び鞘管を残置した状態で、掘進機による敷設管の施工を続行することが可能となるために、作業効率が非常に良くなる。
【符号の説明】
【０１４５】
１、１Ａ        鞘管用掘削リング
２              第１の開口端
３              第２の開口端
４、４Ａ        係留部
５              回転板部
６、６Ａ        掘削刃
７              リング本体
８              回転ローラー
９              支持軸
１０            凹部
１２            切欠開口部
１３            係留片
１４、１４Ａ    鞘管
１５            鞘管本体
１６            開口端
１７            係留用溝部
１８            坑口パッキン
１９            ゴム製パッキン
２０            挟持板
２１            側壁
２２            掘進機
２３            掘進機本体
２４            回転刃部
２５            先端部
２６            支持板
【図１】
2015036505.tif 000003
【図２】
2015036505.tif 000004
【図３】
2015036505.tif 000005
【図４】
2015036505.tif 000006
【図５】
2015036505.tif 000007
【図６】
2015036505.tif 000008
【図７】
2015036505.tif 000009
【図８】
2015036505.tif 000010
【図９】
2015036505.tif 000011
【図１０】
2015036505.tif 000012
【図１１】
2015036505.tif 000013
【図１２】
2015036505.tif 000014